(57)【要約】【課題】ＬＥＤ照明装置における照射光の焦点位置の変更や照射範囲の調節を簡便に実施可能とする。【解決手段】ＬＥＤ発光部３を光源とするＬＥＤ照明装置において、ＬＥＤ発光部から発せられる光を透過させ、光を照射させるレンズ部１と、光の照射方向に沿ってレンズ部を保持する保持部２とを備え、レンズ部及び保持部には、光の照射方向に対して異なる複数の位置にレンズ部を位置付けるネジ部６（雄ネジ部６１及び雌ネジ部６２）を形成するとともに、レンズ部を複数の位置に固定するラチェット部７（ラチェット歯部７１及びラチェット爪部７２）を形成する。【選択図】  図１
2013247037.tif 000002
【特許請求の範囲】
【請求項１】
ＬＥＤ発光部を光源とするＬＥＤ照明装置であって、
前記ＬＥＤ発光部から発せられる光を透過させ、前記光を照射させるレンズ部と、
前記光の照射方向に沿って前記レンズ部を保持する保持部とを備え、
前記レンズ部及び前記保持部には、前記光の照射方向に対して異なる複数の位置に前記レンズ部を位置付けるネジ部が形成されるとともに、前記レンズ部を前記複数の位置に固定するラチェット部が形成されていることを特徴とするＬＥＤ照明装置。
【請求項２】
前記レンズ部は、前記光の照射方向に対して異なる２つの位置に位置付けられるとともに、前記２つの位置に固定されることを特徴とする請求項１に記載のＬＥＤ照明装置。
【発明の詳細な説明】
【技術分野】
【０００１】
本発明は、ＬＥＤを光源とする照明装置に関し、特に、焦点位置を変更可能なＬＥＤ照明装置に関する。
【背景技術】
【０００２】
従来から、例えば、自動車等の車両室内の照明装置の一つとして、光源をＬＥＤとする照明装置が用いられている（特許文献１参照）。かかるＬＥＤ照明装置に関し、特許文献１には、１つのＬＥＤ発光部のみを光源として、照射光の照射領域（照射範囲）の調節を行うことを可能とする装置の構成例が開示されている。この場合、かかるＬＥＤ照明装置は、ＬＥＤ発光部から発せられる光を透過させ、光を照射させるレンズ部と、レンズ部を保持する保持部とを備えている。保持部は、ＬＥＤ発光部が収容されるハウジングに対して筒状に設けられている。そして、筒状をなす保持部には、開口近傍にレンズ部を光の照射方向と交差する方向へ挿入するためのスリットが形成されているとともに、該スリットに連通するガイド溝が形成されている。また、ガイド溝の略中央部には、レンズ部を係止するための凹状の係止部が形成されている。一方、レンズ部は、略円板状をなし、外形部の対向する一部が直線状に形成されており、かかる直線部位にガイド溝の係止部と係合可能な凸状の係合部が設けられている。
【０００３】
このような構成をなすＬＥＤ照明装置において、レンズ部を保持部に装着させる際には、スリットからレンズ部をガイド溝へ挿入し、該ガイド溝に沿って押し込む。そして、係合部が係止部と係合されるとともに、レンズ部の先端がガイド溝の閉塞端（スリットとは反対側の保持部の内壁部）と当接するまでガイド溝に沿って押し込むことで、レンズ部を保持部に対して所定位置に保持させることができる。これにより、レンズ部は、保持部の開口を閉塞した状態でＬＥＤ照明装置に装着され、ＬＥＤ発光部から発せられた照射光は、レンズ部を透過して照射される。
【０００４】
したがって、例えば、微細な凹凸等の表面加工を施したレンズ部をＬＥＤ照明装置に装着させることで、指向性の強い照射光を散乱させてぼかすことができ、照射光の照射領域（照射範囲）の調節が可能となる。
【先行技術文献】
【特許文献】
【０００５】
【特許文献１】特開２０１０−１７７０４０号公報
【発明の概要】
【発明が解決しようとする課題】
【０００６】
しかしながら、特許文献１に開示された装置構成では、光源であるＬＥＤ発光部からレンズ部までの距離（つまり、レンズ高）は常に一定となっている。このため、レンズ部を交換することなく、照射範囲の調節、換言すれば、照射光の焦点位置の変更ができない装置構成となっている。したがって、照射範囲の調節や照射光の焦点位置の変更をするためにはレンズ部を交換しなければならず、利便性の向上を図る上では課題が残る。
【０００７】
本発明はこれを踏まえてなされたものであり、その解決しようとする課題は、ＬＥＤ照明装置における照射光の焦点位置の変更や照射範囲の調節を簡便に実施可能とすることにある。
【課題を解決するための手段】
【０００８】
上記課題を解決するため、本発明は、ＬＥＤ発光部を光源とするＬＥＤ照明装置において、ＬＥＤ発光部から発せられる光を透過させ、光を照射させるレンズ部と、光の照射方向に沿ってレンズ部を保持する保持部とを備え、レンズ部及び保持部には、光の照射方向に対して異なる複数の位置にレンズ部を位置付けるネジ部を形成するとともに、レンズ部を複数の位置に固定するラチェット部を形成することを特徴とする。
【０００９】
これによれば、ＬＥＤ発光部から発せられる光の照射方向に対して異なる複数の位置にレンズ部を位置付けることができるとともに、かかる複数の位置でレンズ部を固定することができる。この結果、光源であるＬＥＤ発光部からレンズ部までの距離（つまり、レンズ高）を変更可能に構成することができる。
【００１０】
一例として、レンズ部は、光の照射方向に対して異なる２つの位置に位置付けるとともに、かかる２つの位置に固定する構成とすることが可能である。
【発明の効果】
【００１１】
本発明によれば、ＬＥＤ照明装置において、照射光の焦点位置の変更や照射範囲の調節を簡便に実施することができる。
【図面の簡単な説明】
【００１２】
【図１】本発明の第１の実施形態に係るＬＥＤ照明装置の全体構成を示す斜視図である。
【図２】本発明の第１の実施形態に係るＬＥＤ照明装置の構成部品を示す分解図である。
【図３】本発明の第１の実施形態に係るＬＥＤ照明装置の全体構成を図１に示す矢印Ａ１の方向から示す平面図である。
【図４】本発明の第１の実施形態に係るＬＥＤ照明装置の全体構成を図３に示す矢印Ａ３の部分における縦断面で示す図である。
【図５】レンズ部を第１のレンズ高（レンズ最小高）に位置付けて固定した状態を示す図であって、(ａ)はＬＥＤ照明装置の全体斜視図、(ｂ)は同図(ａ)の側面図である。
【図６】レンズ部を第２のレンズ高（レンズ最大高）に位置付けて固定した状態を示す図であって、(ａ)はＬＥＤ照明装置の全体斜視図、(ｂ)は同図(ａ)の側面図である。
【図７】本発明の第２の実施形態に係るＬＥＤ照明装置の全体構成を示す斜視図である。
【図８】本発明の第２の実施形態に係るＬＥＤ照明装置の構成部品を示す分解図である。
【図９】二組のスリット部の構成（溝深さ及び配設位置）を説明するための図である。
【図１０】レンズ部を第１のレンズ高（レンズ最小高）に位置付けて固定した状態を示す図である。
【図１１】レンズ部を第１のレンズ高（レンズ最小高）に位置付けて固定した状態（図１０）を示す図であって、(ａ)はＬＥＤ照明装置の側面図、(ｂ)はレンズ部の平面図、(ｃ)は保持部の平面図である。
【図１２】レンズ部を第２のレンズ高（レンズ最大高）に位置付けて固定した状態を示す図であって、(ａ)はＬＥＤ照明装置の側面図、(ｂ)はレンズ部の平面図である。
【発明を実施するための形態】
【００１３】
以下、本発明のＬＥＤ照明装置について、添付図面を参照して説明する。本発明に係るＬＥＤ照明装置は、ＬＥＤ発光部を光源とする照明装置であり、例えば、自動車等の車両室内の照明装置として用いることができる。ただし、かかるＬＥＤ照明装置の用途はこれに限定されるものではなく、家庭用の照明装置等として適用することも可能である。
【００１４】
図１〜図４には、本発明の第１の実施形態に係るＬＥＤ照明装置の全体構成を示す。図１は、全体構成の斜視図であり、図２は、構成部品を示す分解図である。また、図３は、図１に示す矢印Ａ１の方向から示す平面図であり、図４は、図３に示す矢印Ａ３の部分における縦断面図である。
【００１５】
図１〜図４に示すように、ＬＥＤ照明装置は、ＬＥＤ発光部３から発せられる光（以下、照射光という。）を透過させ、照射光を照射させるレンズ部１と、照射光の照射方向に沿ってレンズ部１を保持する保持部２とを備えている。保持部２は、ＬＥＤ発光部３を収容するとともにレンズ部１を保持するための筺体であり、ＬＥＤ発光部３が収容される本体部２１と、レンズ部１が保持される筒状部２２とを有している。本体部２１は、外形が略直方体状をなし、内部にＬＥＤ発光部３が収容されている。この場合、ＬＥＤ発光部３は、外部電源（図示しない）との接続ユニット４と一体をなして組み付けられた状態で、本体部２１の長手方向の一端側に配されている。また、本体部２１は、長手方向の他端側に接続ユニット４を外部に臨ませる開口部２３を有しており、接続ユニット４は、開口部２３において接続端子４１を外部へ向けて突出させている。そして、外部電源の接続コネクタ（例えば、自動車のバッテリに接続されたワイヤハーネス等）５を開口部２３へ嵌入して接続端子４１と接続させることで、接続ユニット４を介して外部電源からＬＥＤ発光部３が給電され、発光する。なお、図１〜図４には、接続ユニット４の接続端子４１を雄端子とした構成（接続コネクタ５は、雌端子に相当）を一例として示すが、接続端子を雌端子（接続コネクタ５は、雄端子に相当）として構成することも可能である。
【００１６】
筒状部２２は、本体部２１の長手方向の一端側、つまり、ＬＥＤ発光部３の配設側から、照射光の照射方向（図４に矢印Ａ４で示す方向(同図においては上方向)。以下、照射光方向という。）へ向けて円筒状に突出している。すなわち、筒状部２２は、ＬＥＤ発光部３から発せられた光の導光路として構成されている。これにより、照射光は、筒状部２２を介して照射光方向へ導光され、レンズ部１を透過して外部へ向けて照射される。本実施形態において、筒状部２２は、照射光方向に対して略一定の内径寸法で延出する小筒部２４と、小筒部２４よりも大きな略一定の内径寸法で延出する大筒部２５とを有し、これら小筒部２４と大筒部２５が同心をなして照射光方向に連続して構成されている。なお、筒状部２２の外径寸法は、小筒部２４及び大筒部２５とも同一の一定寸法に設定されている。すなわち、筒状部２２は、小筒部２４と大筒部２５の内周境界に段差を有する段付きの略円筒状となっている。また、筒状部２２は、小筒部２４が大筒部２５よりもＬＥＤ発光部３に近接する構成となっている。
【００１７】
レンズ部１は、所定方向に延出された略円柱状をなしており、延出方向が照射光方向に沿って位置付けられるように保持部２に保持されている。本実施形態において、レンズ部１は、照射光方向に対して略一定の径寸法で延出する小径部１１と、小径部１１よりも大きな略一定の径寸法で延出する大径部１２とを有し、これら小径部１１と大径部１２が同心をなして照射光方向に連続して構成されている。すなわち、レンズ部１は、小径部１１と大径部１２の境界に段差を有する段付きの略円柱状となっている。そして、レンズ部１（小径部１１及び大径部１２）の中心軸を筒状部２２（小筒部２４及び大筒部２５）の中心軸と一致させるように、レンズ部１が保持部２に保持されている。その際、レンズ部１は、小径部１１が大径部１２よりもＬＥＤ発光部３に近接するように位置付けられる。
【００１８】
また、レンズ部１は、無色透明もしくは有色透明に構成されており、照射光を透過させる。すなわち、レンズ部１は、筒状部２２を介して照射光方向へ導光された照射光を透過させ、外部へ向けて照射させる。したがって、レンズ部１を無色透明に構成することで、照射光を略同一の色相で外部へ向けて照射させることができ、有色透明に構成することで、照射光を基の色相とは異なる色相で外部へ向けて照射させること（換言すれば、照射光の色相変換をすること）ができる。レンズ部１を有色透明に構成する場合には、例えば、透明のレンズ材に色素や蛍光体を添加すればよい。
【００１９】
本実施形態において、レンズ部１及び保持部２には、ＬＥＤ発光部３から発せられた光の照射方向（照射光方向）に対して異なる複数の位置にレンズ部１を位置付けるネジ部６が形成されている。この場合、レンズ部１には、小径部１１の周面に対し、ネジ部６として一連の螺旋溝（以下、雄ネジ部という。）６１が形成されている。一方、保持部２には、筒状部２２の小筒部２４の内周面に対し、ネジ部６として雄ネジ部６１と螺合可能な一連の螺旋溝（以下、雌ネジ部という。）６２が形成されている。
【００２０】
これにより、レンズ部１１を筒状部２２へ挿入し、この状態でレンズ部１１を所定方向へ（一例として、時計回りに）回転させることで、小径部１１の雄ネジ部６１を小筒部２４の雌ネジ部６２と螺合させることができる。なお、小径部１１は、径寸法が小筒部２４の内径寸法と略同一に設定されており、小筒部２４よりも内径寸法が大きな大筒部２５を介して筒状部２２へ容易に挿入可能な構成となっている。そして、レンズ部１を所定方向へさらに回転させることで、雄ネジ部６１が雌ネジ部６２に沿って螺送され、レンズ部１をＬＥＤ発光部３と近接するように（別の捉え方をすれば、照射光方向とは逆向きに）移動させることができる。また、レンズ部１を所定方向とは逆向きへ（一例として、反時計回りに）回転させることで、レンズ部１をＬＥＤ発光部３と離間するように（別の捉え方をすれば、照射光方向に）移動させることができる。
【００２１】
したがって、照射光方向に対して異なる複数の位置（任意の位置）にレンズ部１を位置付けること、すなわち、ＬＥＤ発光部３からレンズ部１までの距離（以下、レンズ高という。）を変更することができる。なお、本実施形態においては、雄ネジ部６１を雌ネジ部６２と完全に螺合させた状態（図４に示す状態）で、レンズ部１（具体的には、小径部１１）の先端が接続ユニット４と当接され、レンズ部１はそれ以上ＬＥＤ発光部３と近接されない状態となっている。かかる状態においては、レンズ部１のレンズ高が最も低い状態（レンズ最小高）となる。つまり、レンズ部１は、レンズ高が最も高い状態（レンズ最大高）である筒状部２２へ挿入して雄ネジ部６１を雌ネジ部６２と螺合させた状態からレンズ最小高までの任意のレンズ高で、ＬＥＤ発光部３（別の捉え方をすれば、保持部２）に対して位置付けることが可能となるように構成されている。なお、ネジ部６（雄ネジ部６１及び雌ネジ部６２）の螺旋溝の長さは、レンズ部１を所定のレンズ最大高から所定のレンズ最小高までの任意のレンズ高に位置付けることが可能となるようにこれらレンズ最大高及びレンズ最小高に応じて設定すればよい。また、ネジ部６（雄ネジ部６１及び雌ネジ部６２）の螺旋溝のピッチは、雄ネジ部６１と雌ネジ部６２を相互に螺合させることが可能であれば、任意に設定可能である。
【００２２】
また、本実施形態において、レンズ部１及び保持部２には、レンズ部１をＬＥＤ発光部３から発せられた光の照射方向（照射光方向）に対して異なる複数の位置に固定するラチェット部７が形成されている。この場合、レンズ部１には、大径部１２の周面に対し、ラチェット部７として照射光方向に沿って複数の凸曲突起（以下、ラチェット歯部という。）７１が等間隔で形成されている。一方、保持部２には、大筒部２５の内周面に対し、ラチェット部７として照射光方向に沿って複数の凸曲突起（以下、ラチェット爪部という。）７２が等間隔で形成されている。ラチェット歯部７１及びラチェット爪部７２は、周方向に対して略同一のピッチで形成されているとともに、径方向に対して略同一の高さで突出されている。また、ラチェット爪部７２及びラチェット歯部７１をなす各凸曲突起は、周方向に対して対称形（例えば、円弧状や楕円弧状等）をなしている。これにより、周方向に隣り合うラチェット爪部７２の間にラチェット歯部７１が介在するようにレンズ部１を位置付けることで、レンズ部１を筒状部２２（大筒部２５）へ挿入することができ、レンズ部１（小径部１１及び大径部１２）の中心軸を筒状部２２（小筒部２４及び大筒部２５）の中心軸と一致させた状態とすることができる。
【００２３】
このように周方向に隣り合うラチェット爪部７２の間（以下、爪谷部という。）にラチェット歯部７１が介在された状態においては、ラチェット歯部７１とラチェット爪部７２は、相互に噛み合った状態となっている。ただし、本実施形態においては、ラチェット爪部７２及びラチェット歯部７１をなす各凸曲突起が周方向に対して対称形（例えば、円弧状や楕円弧状等）をなしているため、これらが相互に噛み合った状態から所定方向（時計回りもしくは反時計回り）へラチェット歯部７１とラチェット爪部７２との噛合力に抗して回転力を加えることで、ラチェット歯部７１をラチェット爪部７２の凸曲面に沿って爪谷部ごとに所定方向へ移動させることができる。すなわち、レンズ部１を筒状部２２（より具体的には、大筒部２５）に対して周方向へ回転させることができる。その一方で、レンズ部１は、ラチェット歯部７１とラチェット爪部７２との噛合力に抗する回転力を加えない限り、ラチェット歯部７１が爪谷部に止まり、周方向へ回転させることができない。したがって、例えば、振動等によりレンズ部１が筒状部２２（大筒部２５）に対して勝手に回転してしまうような事態を有効に抑止することができる。これにより、ネジ部６（雄ネジ部６１及び雌ネジ部６２）によってレンズ最大高からレンズ最小高までの任意のレンズ高に位置付けたレンズ部１を、ラチェット部７（ラチェット歯部７１及びラチェット爪部７２）によってかかる任意のレンズ高に固定することができる。
【００２４】
例えば、図５及び図６には、照射光方向に対して異なる２つの位置（第１のレンズ高と第２のレンズ高）に位置付けられるとともに、前記２つの位置に固定されたレンズ部１の状態をそれぞれ示す。図５は、レンズ部１を第１のレンズ高（一例として、レンズ最小高）に位置付けて固定した状態を示す図であり、同図(ａ)はＬＥＤ照明装置の全体斜視図、同図(ｂ)は同図(ａ)の側面図である。また、図６は、レンズ部１を第２のレンズ高（一例として、レンズ最大高）に位置付けて固定した状態を示す図であり、同図(ａ)はＬＥＤ照明装置の全体斜視図、同図(ｂ)は同図(ａ)の側面図である。図５及び図６に示す構成において、レンズ部１は、レンズ最小高とした場合、筒状部２２から高さＨ５だけ外部へ突出しており、レンズ最大高とした場合、筒状部２２から高さＨ６だけ外部へ突出している。したがって、レンズ部１をレンズ最大高からレンズ最小高までの任意のレンズ高に位置付けて固定させることで、レンズ最大高とレンズ最小高の高低差分（Ｈ６−Ｈ５）に相当する範囲で、照射光の焦点位置を変更することができるとともに、照射範囲を調節することができる。
【００２５】
このように、本実施形態によれば、照射光方向に対して異なる複数の位置（任意の位置）にレンズ部１を位置付けることができるとともに、かかる複数の位置でレンズ部１を固定することができる。これにより、レンズ高を変更可能に構成することができる。この結果、例えば、レンズ部１を交換することなく、ＬＥＤ照明装置における照射光の焦点位置の変更や照射範囲の調節を簡便に実施することができ、利便性の向上を図ることが可能となる。
【００２６】
なお、上述した第１の実施形態においては、ネジ部６（雄ネジ部６１及び雌ネジ部６２）とラチェット部７（ラチェット歯部７１及びラチェット爪部７２）によって、レンズ部１を照射光方向に対して異なる複数の位置（任意のレンズ高）に位置付けて固定する構成としているが、レンズ部１をかかる位置に位置付けて固定するための構成は、ネジ部６とラチェット部７によるものに限定されない。例えば、リブ部とスリット部によって、レンズ部を照射光方向に対して異なる複数の位置（任意のレンズ高）に位置付けて固定することも可能である。以下、このようにリブ部とスリット部によってレンズ部をかかる位置に位置付けて固定するための実施形態を、本発明の第２の実施形態として説明する。なお、第２の実施形態に係るＬＥＤ照明装置の基本的な構成は、上述した第１の実施形態に係るＬＥＤ照明装置（図１〜図６）と同様としている。したがって、第１の実施形態に係るＬＥＤ照明装置と同一もしくは類似する構成部品については図面上で同一符号を付して説明を省略し、以下では、第２の実施形態に特有の構成について詳述する。
【００２７】
図７及び図８には、本発明の第２の実施形態に係るＬＥＤ照明装置の全体構成を示す。図７は、全体構成の斜視図であり、図８は、構成部品を示す分解図である。本実施形態において、レンズ部１０及び保持部２０のいずれか一方には、照射光方向に対して異なる複数の位置にレンズ部１０を位置付けるリブ部８が形成され、他方には、前記複数の位置でリブ部８と係合し、レンズ部１０を固定するスリット部９が形成されている。図７及び図８には、リブ部８をレンズ部１０に形成するとともに、スリット部９を保持部２０に形成した構成を一例として示す。ただし、これとは逆に、スリット部をレンズ部に形成するとともに、リブ部を保持部に形成した構成とすることも可能である。
【００２８】
本実施形態において、保持部２０の筒状部２２は、照射光方向に対して一定の内径寸法で延出された円筒状をなして構成されている。また、レンズ部１０は、所定方向に一定の径寸法で延出された円柱状をなしており、延出方向が照射光方向に沿って位置付けられるように筒状部２２に保持されている。
【００２９】
レンズ部１０には、周面に対し、周方向へ対称をなして（１８０°の位相差で）一対のリブ部８が形成されている。この場合、リブ部８は、照射光方向側（図８においては、上側）のレンズ部１０の端面周縁から照射光方向とは逆方向（同図においては、下向き）へ向かうに従って、その径寸法が徐々に小寸となるように拡径方向へ突出して形成されている。すなわち、リブ部８は、照射光方向とは逆方向へ向かうに従って、突出高さが徐々に小さくなるように形成されている。図７及び図８には、照射光方向とは逆方向へ向かうに従って先細りとなる略三角錐状をなすリブ部８の構成を一例として示す。なお、照射光方向とは逆方向へ向かうに従って先細りとなっていれば、例えば、略多角錐状や略半円錐状等をなすようにリブ部を構成することも可能である。また、図７及び図８では、レンズ部１０の延出寸法よりも延出寸法が小寸の（照射光方向側の端面周縁から反対側の端面周縁まで達しない）リブ部８の構成としているが、レンズ部１０の延出寸法と略同寸となる（照射光方向側の端面周縁から反対側の端面周縁まで達する）ようにリブ部を構成することも可能である。
【００３０】
一方、保持部２０には、筒状部２２の内周面に対し、周方向へ対称をなす（１８０°の位相差で）一対のスリット部９が二組形成されている。この場合、スリット部９は、照射光方向側（図８においては、上側）の筒状部２２の端面周縁から照射光方向とは逆方向（同図においては、下向き）へ、その内径寸法が一定の寸法で拡径されるとともに、リブ部８の延出寸法に亘って拡径されるように内周面を凹ませて形成されている。図７及び図８には、三角錐状をなすリブ部８の形状に対応して、横断面形状が三角形の溝状をなすスリット部９の構成を一例として示す。なお、スリット部９の形状は、リブ部８の形状に対応していればよく、例えば、リブ部を略多角錐状や略半円錐状等をなすように構成した場合、かかる多角形状や半円形状等に構成することも可能である。
【００３１】
また、図９に示すように、二組のスリット部９のうち、一方の組をなす一対のスリット部９（以下、スリット部９１ともいう。）は、その拡径寸法（三角形状をなす溝の深さに相当(図９に示すＤ９１)）がリブ部８の最大径寸法よりも僅かに大寸に設定されている。つまり、スリット部９１は、リブ部８の突出高さの最大高よりも僅かに大寸の溝深さＤ９１で形成されている。そして、二組のスリット部９のうち、他方の組をなす一対のスリット部９（以下、スリット部９２ともいう。）は、その拡径寸法（三角形状をなす溝の深さに相当(図９に示すＤ９２)）がリブ部８の最大径寸法よりも小寸（一例として、レンズ部１０の延出方向に対して、リブ部８の略中間部位における径寸法に相当）に設定されている。つまり、スリット部９２は、リブ部８の突出高さの最大高よりも小寸の溝深さＤ９２で形成されている。すなわち、筒状部２２は、異なる溝深さＤ９１,Ｄ９２に設定されたスリット部９１,９２が一対ずつ二組（二対）形成され、これらのスリット部９１,９２が周方向に対して９０°の位相差で交互に配された構成となっている。なお、図９には、一対のスリット部９１が本体部２１の長手方向（図９においては、左右方向）に沿って配されるとともに、一対のスリット部９２が前記長手方向と直交する方向（同図においては、上下方向）に配されるように、これらスリット部９１,９２を筒状部２２に形成した構成を一例として示すが、スリット部９１,９２の筒状部２２に対する形成位置及び形成間隔は、特に限定されない。また、スリット部９２の溝深さＤ９２は、スリット部９１の溝深さＤ９１よりも小寸（Ｄ９１＞Ｄ９２）であれば、レンズ部１０を位置付ける位置（レンズ高）に応じて任意に設定することが可能である。
【００３２】
このような構成によれば、レンズ部１０を照射光方向に対して異なる２つの位置（第１のレンズ高と第２のレンズ高）に位置付けるとともに、前記２つの位置に固定することができる。図１０及び図１１には、レンズ部１０を第１のレンズ高（一例として、レンズ最小高）に位置付けて固定した状態を示しており、図１０はＬＥＤ照明装置の全体斜視図、図１１(ａ)は側面図、同図(ｂ)はレンズ部１０の平面図、同図(ｃ)は保持部２０の平面図である。また、図１２には、レンズ部１を第２のレンズ高（一例として、レンズ最大高）に位置付けて固定した状態を示しており、同図(ａ)はＬＥＤ照明装置の側面図、同図(ｂ)はレンズ部１０の平面図である。なお、レンズ部１０を第２のレンズ高（一例として、レンズ最大高）に位置付けて固定した状態は、図７に示す状態に相当する。この場合、レンズ部１０は、レンズ最小高とした場合、筒状部２２から高さＨ１１だけ外部へ突出しており（図１１(ａ)参照）、レンズ最大高とした場合、筒状部２２から高さＨ１２だけ外部へ突出している（図１２(ａ)参照）。したがって、レンズ部１０をレンズ最大高からレンズ最小高までの任意のレンズ高に位置付けて固定させることで、レンズ最大高とレンズ最小高の高低差分（Ｈ１２−Ｈ１１）に相当する範囲で、照射光の焦点位置を変更することができるとともに、照射範囲を調節することができる。
【００３３】
図１０及び図１１に示すように、一対のリブ部８が一対のスリット部９１の対向方向へ沿うようにレンズ部１０を位置付けることで、レンズ部１０を筒状部２２へ挿入することができ、レンズ部１の中心軸を筒状部２２の中心軸と一致させた状態とすることができる。すなわち、この状態において、一対のリブ部８は、延出方向の全体に亘って一対のスリット部９１に嵌入されるとともに、各リブ部８の基端部８１が各スリット部９１とちょうど係合された状態となる。これにより、レンズ部１０は、第１のレンズ高（一例として、レンズ最小高）に位置付けられる。そして、リブ部８の基端部８１がスリット部９１と係合して係止された状態となっているため、第１のレンズ高に位置付けられたレンズ部１０をかかる位置で固定することができる。
【００３４】
また、本実施形態においては、図７及び図１２に示すように、一対のリブ部８が一対のスリット部９２の対向方向に沿うようにレンズ部１０を位置付けることによっても、レンズ部１０を筒状部２２へ挿入することができ、レンズ部１の中心軸を筒状部２２の中心軸と一致させた状態とすることができる。すなわち、この状態において、一対のリブ部８は、延出方向に対してその一部のみが一対のスリット部９２に嵌入され、残りの部分が外部へ露出される。換言すれば、この状態において、各リブ部８における延出方向のいずれかの部位が各スリット部９２とちょうど係合された状態となる。つまり、リブ部８は、その径寸法（突出高さ）がスリット部９２の内径寸法（溝による拡径寸法）と一致する部位（以下、係合部という。）８２において、スリット部９２と係合される。これにより、レンズ部１０は、第２のレンズ高（一例として、レンズ最大高）に位置付けられる。そして、リブ部８の係合部８２がスリット部９２と係合して係止された状態となっているため、第２のレンズ高に位置付けられたレンズ部１０をかかる位置で固定することができる。
【００３５】
したがって、本実施形態においては、図７、図１０〜図１２に示すように、リブ部８の基端部８１もしくは係合部８２がスリット部９１,９２と係合され、レンズ部１０を筒状部２２に対して係止させることで、第１のレンズ高（一例として、レンズ最小高）もしくは第２のレンズ高（一例として、レンズ最大高）に位置付けたレンズ部１０を、かかるレンズ高に固定することができる。すなわち、レンズ部１０を第１のレンズ高に位置付けて固定した状態（図１０及び図１１に示す状態）、もしくは第２のレンズ高に位置付けて固定した状態（図７及び図１２に示す状態）から、かかるレンズ部１０を筒状部２２から一旦引き抜き、周方向に９０°回転させた後、再度筒状部２２へ挿入することで、レンズ部１０のレンズ高を相互に容易に切り換えて固定することができる。また、図７、図１０〜図１２に示すように、リブ部８の基端部８１もしくは係合部８２がスリット部９１,９２と係合され、レンズ部１０を筒状部２２に対して係止させた状態では、例えば、振動等によりレンズ部１０が筒状部２２に対して勝手に回転してしまうような事態を有効に抑止することができる。
【００３６】
なお、本実施形態においては、筒状部２２に対し、異なる溝深さＤ９１,Ｄ９２に設定したスリット部９１,９２を一対ずつ二組（二対）形成しているため、照射光方向に対して異なる２つの位置（第１のレンズ高と第２のレンズ高）にレンズ部１０を位置付けて固定することが可能な構成となっている。換言すれば、スリット部を一対ずつ三組（三対）以上形成すれば、異なる３つ以上の位置（レンズ高）にレンズ部を位置付けて固定することが可能となる。
【００３７】
また、本実施形態においては、一例として、リブ部８及びスリット部９の形成単位を一対（２つ）ずつとしているが、かかる形成単位はこれに限定されない。すなわち、３条以上を所定間隔で配した一組のリブ部をレンズ部に形成し、かかるリブ部と同一本数を同一間隔で配して一組とした異なる溝深さのスリット部を複数組、筒状部に形成してもよい。例えば、等間隔（位相差９０°）で配した４条一組のリブ部をレンズ部に形成し、４本を等間隔で配して一組とした異なる溝深さのスリット部を二組、筒状部に形成した構成とする場合等が想定可能である。この場合には、溝深さの異なるスリット部を周方向に対して４５°の位相差で交互に配すればよい。
【符号の説明】
【００３８】
１    レンズ部
２    保持部
３    ＬＥＤ発光部
６    ネジ部
７    ラチェット部
６１  雄ネジ部
６２  雌ネジ部
７１  ラチェット歯部
７２  ラチェット爪部
【図１】
2013247037.tif 000003
【図２】
2013247037.tif 000004
【図３】
2013247037.tif 000005
【図４】
2013247037.tif 000006
【図５】
2013247037.tif 000007
【図６】
2013247037.tif 000008
【図７】
2013247037.tif 000009
【図８】
2013247037.tif 000010
【図９】
2013247037.tif 000011
【図１０】
2013247037.tif 000012
【図１１】
2013247037.tif 000013
【図１２】
2013247037.tif 000014